(57)【特許請求の範囲】
【請求項１】
バーナーヘッドの下方にガスボンベを収納するためのボンベ収納部を有してなる卓上ガスコンロにおいて、
ボンベ収納部を構成するための筐体の側面部に、ガスボンベを卓上面に沿った水平方向に挿入するための開口部と、
当該挿入方向の奥方に設けられ、ガスボンベからのガスを燃料送出管に送出するための接続機構と、
前記バーナーヘッドの下方であってボンベ収納部を構成するための筐体の底面部に、ガスを着火させたときに卓上からの隙間から空気を取り入れて上昇気流を生じさせる空気取入口と、
を設けたことを特徴とする卓上ガスコンロ。
【発明の詳細な説明】
【技術分野】
【０００１】
本発明は、卓上で使用される卓上ガスコンロに関するものであり、より詳しくは、ガスボンベの脱着や交換作業を容易に行うことができる卓上ガスコンロに関する。
【背景技術】
【０００２】
卓上ガスコンロは、持ち運びや収納に非常に便利であり、また、ホームパーティーにて鍋料理やお好み焼きをする場合であっても、大多数で料理を囲むことができることから、広く一般家庭などで使用されるようになってきている。また、その利便性より、屋内のみならず、屋外レジャーにおいてもバーベキューなどをする場合によく使用されることがある。
【０００３】
かかる卓上ガスコンロ７００の構造を図４に示す。図４において、７０１はガスバーナや配管などを収納するガスバーナ収容部、７０２はカセット式のガスボンベを収納するボンベ収納部、７０３は噴きこぼれなどを受けるプレート部を表す。
【０００４】
そして、かかる卓上ガスコンロ７００を使用する場合、まず、ボンベ収容部７０２の蓋を開けてガスボンベを収容し、次に、プレート部７０３と一体化して立ち上がり形成された五徳７０４の上に、調理用の鍋などを載置する。続いて、つまみ７０５をひねることによって、ガスボンベからＬＰガスを放出する。そして、そのつまみ７０５を最後までひねることによって、ガスバーナ７０６の近傍を放電させ、ＬＰガスに着火する。
【０００５】
さらには、このような卓上ガスコンロを工夫したものとして特許文献１に記載されるようなガスコンロがある。この特許文献１に記載される携帯用ガスコンロは、図５に示すように、ガスコンロ本体と、ガスバーナと、五徳と、プレートから構成されるものであって、円筒状のガスボンベを卓上に立位させた状態で、その上端部であるネジ部分にガスコンロと五徳を一体化させたガスコンロ本体を螺着させて使用できるようにしたものである。
【０００６】
この図５に示すようなガスコンロは、水平方向にガスボンベを収納させないので、水平方向の幅を小さくすることができるというメリットがある。また、図５に示すようなガスコンロは、ガスボンベがコンロ本体の下に装着されているため、例えば、五徳の上に鉄板を載せた場合であってもガスボンベが過剰に加熱されることがなく、安全に使用することができるというメリットがある。
【特許文献１】特開平８−１４５３７０
【発明の開示】
【発明が解決しようとする課題】
【０００７】
しかしながら、このような特許文献１に記載されるガスコンロを使用するに際しては、次に示すような問題がある。
【０００８】
まず、第一に、上記特許文献１に記載されるようなガスコンロでは、卓上面に対する垂直方向の高さが高くなってしまうため、鍋などを五徳の上に置いた場合には、非常に不安定となってしまう。
【０００９】
また、ガス切れなどによってガスボンベを交換しなければならない場合は、いちいち鍋を下ろしてからガスボンベを交換しなければならず、その作業が大変面倒なものとなる。
【００１０】
一方、図４に示すような従来の横置式のガスコンロでは、高さ方向の寸法を抑えることができるものの、水平方向に嵩んでしまい、卓上に鍋の材料などを置くスペースを占有してしまいことになりかねない。
【００１１】
そこで、本発明は上記課題に着目してなされたものであって、卓上面に対して水平方向のみならず垂直方向にもコンパクトな構成であり、かつ、五徳の上に鍋などを載置した状態であってもガスコンロを交換することができる卓上ガスコンロを提供することを目的とする。
【課題を解決するための手段】
【００１２】
すなわち、本発明は上記課題を解決するために、バーナーヘッドの下方にガスボンベを収納するためのボンベ収納部を有してなる卓上ガスコンロにおいて、ボンベ収納部を構成するための筐体の側面部に、ガスボンベを卓上面に沿った水平方向に挿入するための開口部と、当該挿入方向の奥方に設けられ、ガスボンベからのガスを燃料送出管に送出するための接続機構と、前記バーナーヘッドの下方であってボンベ収納部を構成するための筐体の底面部に、ガスを着火させたときに卓上からの隙間から空気を取り入れて上昇気流を生じさせる空気取入口とを設けるようにしたものである。
【発明の効果】
【００１３】
本発明によれば、バーナーヘッドの下方でガスボンベを卓上面と水平方向に収納することができるため、卓上ガスコンロを卓上面に対する水平方向をコンパクトに構成することができる。また、ボンベ収納部に収納されるガスボンベを卓上面に沿って水平方向に着脱することができるため、鍋などを載置した状態であってもガスボンベを交換することができる。さらには、ガスコンロの五徳より大きい鍋や大きい鉄板などを使用した場合であっても、ガスボンベはバーナーヘッドの下方に設けられたボンベ収納部に収納されるため、鍋や鉄板の下に熱がこもることなく、従来の卓上ガスコンロのように、こもった熱がボンベ収納部に伝わってガスボンベが爆発を起こすというような危険性をなくすことができる。また、底面部に設けられた空気取入口から空気を取り入れて上昇気流を生じさせることができるため、ガスボンベが過度に熱されることを防止できる。
【発明を実施するための最良の形態】
【００１４】
以下、本実施の形態について、図面を参照して説明する。図１は、本実施の形態における卓上ガスコンロ１の断面概略図を示したものであり、図２は、外観斜視図を示したものである。
【００１５】
本実施の形態における卓上ガスコンロ１の概要について説明する。この卓上ガスコンロ１は、バーナーヘッド５１から出力される火力を利用して食材を調理できるようにしたもので、図１や図２に示すように、卓上ガスコンロ１のガスボンベ８を収納するガスコンロ本体２と、ガスボンベ８からバーナーヘッド５１へ燃料を送出する燃料送出機構４と、バーナーヘッド５１から火気を出力するための火気出力機構５とを備えている、以下、本実施の形態における卓上ガスコンロ１の詳細について説明する。
【００１６】
ガスコンロ本体２は、筐体２１や、五徳を有する汁受けプレート２２、筐体２１を支える脚部２３、ボンベ収納部２４などを備えてなるものであって、アルミニウムなどの金属板を折り曲げ加工して形成される。そして、その筐体２１に筐体側面部２１１と筐体底面部２１２を設けることによってガスボンベ８を収納するためのボンベ収納部２４を設けるとともに、燃料送出機構４や火気出力機構５などを取り付けられるようにしている。
【００１７】
このボンベ収納部２４を構成するための筐体底面部２１２には、空気取入口２１３が設けられる。この空気取入口２１３は、金属板にパンチングや矩形状の切り欠きを設けることによって形成され、そこから空気を取り入れてガスボンベ８の過剰な加熱を防止できるようにしている。一方、ボンベ収納部２４を構成するための筐体側面部２１１には、ガスボンベ８を卓上面に沿った水平方向に挿入するための開口部を設けており、そこからガスボンベを卓上の水平方向に沿って挿入できるようにしている。このボンベ収納部２４は、バーナーヘッド５１の下方側に設けられ、これによってガスコンロ本体２の横幅方向への寸法を可能な限り小さくできるようにしている。ところで、このバーナーヘッド５１の下方にボンベ収納部２４を設ける場合、バーナーヘッド５１に近すぎると熱が直接伝わってしまい、爆発を起こしてしまう危険性がある。一方、余りにバーナーヘッド５１から離してしまうと、高さ方向の寸法が大きくなってしまって不安定なものとなってしまう。さらには、寒い時期に使用する場合には、ガスボンベ８が暖まらず、ガスの出が悪くなってしまう。このため、適度にガスボンベを暖めることができるような距離に設定してガスボンベ８を収納できるようにしておく。そして、このように構成されたボンベ収納部２４に対して、ガスボンベ８を卓上の水平方向に沿って開口部から挿入し、その奥方に設けられた接続機構３に先端部分を接続して、ガスを燃料送出管４１に送出する。
【００１８】
この接続機構３は、ガスボンベ８を燃料送出管４１に接続するためのものであって、ガスボンベ８をボンベ収納部２４に既定の向きに合わせてセットするための容器受けガイド３１と、ガスボンベ８を燃料送出管４１に接続して固定するための容器セットレバー３２とを備える。この容器受けガイド３１は、一般的なガスボンベ８に設けられている容器ガイドと一対一対応で嵌合することのできるものであり、容器セットレバー３２を押し下げることによって、ガスボンベ８のステムが縮んでガスボンベ８内へのガス燃料用通路が形成される。
【００１９】
燃料送出機構４は、ガスボンベ８内の燃料ガスをバーナーヘッド５１に送出するものであって、ガスコンロ本体２におけるガス燃料用通路としての燃料送出管４１と、燃料ガスのバーナーヘッド５１への供給量を適宜調整するための器具栓つまみ４２とを備えて構成される。そして、接続機構３を介して接続されたガスボンベ８からの燃料を器具栓つまみ４２によって調節し、適量の燃料と空気とを混合してバーナーヘッド５１へと送出する。
【００２０】
火気出力機構５は、バーナーヘッド５１から火気を出力して鍋や鉄板などを加熱するためのものであって、ガス燃料を出力するバーナーヘッド５１と、バーナーヘッド５１より出力されるガス燃料に着火するための図示しない圧電点火装置とを備えている。このバーナーヘッド５１は、例えば、真ちゅうなどによって構成される。また、圧電点火装置は、圧電素子などによって構成され、バーナーヘッド５１の近傍に静電気火花を放電させてガス燃料を着火させる。
【００２１】
一方、ガスコンロ本体２における汁受けプレート２２は、周知のように、五徳２６の上に載置された鍋などからの吹きこぼれを受けるもので、その吹きこぼれがバーナーヘッド５１に付着することを防止する。この汁受けプレート２２の中央にはバーナーヘッド５１を収納するための開口部が形成されており、そこから火を出力して調理用鍋などを加熱できるようにしている。
【００２２】
また、ガスコンロ本体２の脚部２３は、各種機構を収納する筐体２１を支持するものであって、例えば、この筐体底面部２１２にゴムなどを固着して形成される。この脚部２３は、ガスボンベ８の厚み寸法（すなわち、ガスボンベ８を収納する方向に対して上下方向の寸法）よりも小さく構成され、これによって、可能な限りガスコンロ本体２の高さ寸法を抑えるとともに、安定してガスコンロ本体２を卓上に載置できるようにしている。
【００２３】
次に、このように構成された卓上ガスコンロ１の使用方法について、図１や図２を参照して説明する。
【００２４】
卓上ガスコンロ１を使用する場合、まず、前準備として、汁受けプレート２２や五徳２６などをセットし、その五徳２６の上に調理用の鍋などを載置する。そして、この状態で、ガスコンロ本体２のボンベ収納部２４に卓上の水平面に沿ってガスボンベ８を挿入し、その奥方に設けられた接続機構３にガスボンベ８の先端を嵌合させる。そして、ガスボンベ８の先端が正しい方向で接続機構３に嵌合していることを確認した後、容器セットレバー３２を押し下げて、ガスボンベ８を嵌合・固定させて燃料送出管４１に接続する。そして、このようにガスボンベ８を接続した後、器具栓つまみ４２を回すことにより、ガスボンベ８から燃料送出管４１を通じてバーナーヘッド５１にガス燃料を送出する。そして、器具栓つまみ４２を完全に回し切ることにより、圧電点火装置が作動させ、バーナーヘッド５１の近傍で放電させ、ガスに着火する。このとき、卓上ガスコンロ１は、脚部２３によって筐体底面部２１２と卓上との間に隙間が生じており、また、筐体底面部２１２に設けられた空気取入口２１３から空気を取り入れて上昇気流を生じさせることができるため、ガスボンベ８が過度に熱されることを防止できるようになっている。
【００２５】
次に、使用済みのガスボンベ８を交換する場合について説明すると、まず、ガスボンベ８を交換する場合、容器セットレバー３２を押し上げることによって、卓上ガスコンロ１の容器受けガイド３１とガスコンロの容器ガイドとの嵌合を解き、ボンベ収納部２４内においてガスボンベ８を挿入時と逆方向にスライドさせてガスボンベ８を取り出す。そして、新しいガスボンベ８を、卓上ガスコンロ１の使用を開始するときと同様の手順でセットし、着火させる。
【００２６】
このように、上述のような卓上ガスコンロ１を用いると、従来のように鍋などを五徳の上からいちいち下ろすことなく、鍋などを五徳２６の上に載置した状態でガスボンベ８の交換をすることができ、かかるガスボンベ８の交換作業の煩雑さを回避することができる。
【００２７】
なお、かかる卓上ガスコンロ１の使用方法については、ボンベ収納部２４を矩形状のガスボンベ８を収納することのできる略四角柱状に形成した場合であっても同様である。このような矩形状のガスボンベ８は、同じガス容量の円筒状のガスボンベ８に比べ、卓上面に対して水平方向に収納した場合に垂直方向をコンパクトに構成できる。したがって、これに対応して、ボンベ収納部２４も卓上面に対して垂直方向にコンパクトに構成でき、卓上ガスコンロ１の垂直方向をさらにコンパクトに構成することができる。
【００２８】
このように上記実施の形態によれば、バーナーヘッド５１の下方にガスボンベ８を収納するためのボンベ収納部２４を有してなる卓上ガスコンロ１において、ボンベ収納部２４を構成するための筐体２１の側面部２１１に、ガスボンベ８を卓上面に沿った水平方向に挿入するための開口部と、当該挿入方向の奥方に設けられ、ガスボンベ８からのガスを燃料送出管４１に送出するための接続機構３と、前記バーナーヘッド５１の下方であってボンベ収納部２４を構成するための筐体２１の底面部２１２に、ガスを着火させたときに卓上からの隙間から空気を取り入れて上昇気流を生じさせる空気取入口２１３とを設けるようにしたので、卓上ガスコンロ１を卓上面に対して水平方向のみならず垂直方向にもコンパクトに構成することができる。また、ボンベ収容部７０２に収納されるガスボンベ８を、卓上面の水平方向に着脱できるようにしたので、鍋などを載置した状態であってもガスボンベ８を交換することができる。さらには、ガスコンロの五徳７０４より大きい鍋や大きい鉄板などを使用した場合であっても、ガスボンベ８はバーナーヘッド５１の下方に設けられたボンベ収容部７０２に収納されるため、鍋や鉄板の下に熱がこもることなく、従来の卓上ガスコンロのように、こもった熱がボンベ収納部に伝わってガスボンベ８が爆発を起こすというような危険性を回避することができる。
【００２９】
なお、本発明は上記の実施の形態に限定されることなく、種々の態様で実施することができる。
【００３０】
例えば、上記実施の形態では、筐体２１について、筐体側面部２１１と筐体底面部２１２とを設ける場合について説明したが、これに限らず、例えば、図３に示すように、筐体底面部２１２を設けないで、脚部２３や接続機構３、燃料送出機構４および火気出力機構５を、筐体側面部２１１に固着することによって、卓上ガスコンロ１を構成することができる。この場合、ガスボンベ８は、例えばヒートパネル２５を用いてボンベ収納部２４内にて保持することができる。このようなヒートパネル２５を用いると、筐体２１内の空気の流れを損なうことなくガスボンベ８が過度に熱されるのを防止できると同時に、ガスボンベ８を適度に温めることもできるので、寒冷地などで卓上ガスコンロ１を使用する場合にガス燃料の供給の低下を抑制することができる。
【００３１】
また、上記実施の形態では、ガスボンベ８として矩形状のガスボンベを用いて説明したが、現在市場に流通している円柱状のガスボンベを用いるようにしてもよい。
【００３２】
さらに、上記実施の形態では、ボンベ収納部２４をバーナーヘッド５１の直下に設けるようにしたが、必ずしも直下である必要はなく、真上から見た場合にバーナーヘッド５１とガスボンベ８とがオーバーラップするような位置であれば、そのような位置に設けてもよい。
【図面の簡単な説明】
【００３３】
【図１】本発明の一実施の形態における卓上ガスコンロの断面図
【図２】同形態における卓上ガスコンロの斜視図
【図３】同形態における卓上ガスコンロの断面図
【図４】従来の卓上ガスコンロを示す斜視図
【図５】従来のガスコンロを示す図
【符号の説明】
【００３４】
１    卓上ガスコンロ
２    ガスコンロ本体
３    接続機構
４    燃料送出機構
５    火気出力機構
８    ガスボンベ
２１    筐体
２２    汁受けプレート
２３    脚部
２４    ボンベ収納部
２５    ヒートパネル
２６    五徳
３１    容器受けガイド
３２    容器セットレバー
４１    燃料送出管
４２    器具栓つまみ
５１    バーナーヘッド
２１１    筐体側面部
２１２    筐体底面部
【図１】
0005112824.tif 000002
【図２】
0005112824.tif 000003
【図３】
0005112824.tif 000004
【図４】
0005112824.tif 000005
【図５】
0005112824.tif 000006